(57)【要約】【課題】本発明は、人気のある種々のデザインから成る各種のフードカバー体について、これに自由に対応することができる建物用のダンパー付き換気口の設置を容易に行うことができることを目的とする。【解決手段】本発明は、取付筒体１の内側開口部２に設けた枠体の内部にダンパーの開閉板５を枢支し、閉口状態にある前記開閉板の中央部を感熱部材８によって挟着する換気口において、前記取付筒体の鍔部３の内側部に，取付枠材９の縁部を上縁部１０’の左右両側部に切欠部１１，１１を形成して固着し、任意形状に成るフード体１４の外周囲に曲折縁部１５を形成し、この曲折縁部の内側部に設けた通気板１６の通気口上側部に適当間隔をおいて係合部２１，２１を設け、この両係合部に前記取付筒体の取付枠材に設けた両切欠部をそれぞれ係合して成るものである。【選択図】    図２
2004169996.tif 000002
【特許請求の範囲】
【請求項１】
取付筒体の内側開口部に設けた枠体の内部にダンパーの開閉板を枢支し、閉口状態にある前記開閉板の中央部を感熱部材によって挟着する換気口において、前記取付筒体の鍔部の内側部に，取付枠材の縁部を上縁部の左右両側部に切欠部を形成して固着し、任意形状に成るフード体の外周囲に曲折縁部を形成し、この曲折縁部の内側部に設けた通気板の通気口上側部に適当間隔をおいて係合部を設け、この両係合部に前記取付筒体の取付枠材に設けた両切欠部をそれぞれ係合して成る建物用換気口。
【請求項２】
通気板の上端中央部及び左右両側部に小凹溝を設け、これら小凹溝に対応するフード体の対応位置に小凹部を各設けて成る請求項１に記載した建物用換気口。
【発明の詳細な説明】
【０００１】
【発明の属する技術分野】
本発明は、建物用の換気口に関するものである。
【０００２】
【従来の技術】
従来から存する建物用の換気口は、その建物の内部から外部に貫通した外壁通口に取付けるものであるが、火災発生時にダンパーが高温熱風を感知してその開閉板が閉口する換気口においては、一度開閉板が閉口作動すると、次の使用のために開閉板を再度開口することが困難な構造となっていたから、換気口全体を取換えなければならない欠点があった。
【０００３】
そこで、本発明者は先願として、平成１１年特許願第３０９９０９号にかかる発明をしているが、例えば意匠登録第１１２６２６２号に係る意匠のように、フードカバー体のデザインが様々に異なる換気口についても、同様の構成を設置することができるものでなかったので、設置するフードカバーのデザインには限界があった。
【０００４】
【発明が解決しようとする課題】
その事実に鑑み、本発明にあっては、人気のある種々のデザインから成る各種のフードカバー体について、これに自由に対応することができる建物用のダンパー付き換気口の設置を容易に行うことができることを目的とするものである。
【０００５】
【課題を解決するための手段】
本発明は、取付筒体の内側開口部に設けた枠体の内部にダンパーの開閉板を枢支し、閉口状態にある前記開閉板の中央部を感熱部材によって挟着する換気口において、前記取付筒体の鍔部の内側部に，取付枠材の縁部を上縁部の左右両側部に切欠部を形成して固着し、任意形状に成るフード体の外周囲に曲折縁部を形成し、この曲折縁部の内側部に設けた通気板の通気口上側部に適当間隔をおいて係合部を設け、この両係合部に前記取付筒体の取付枠材に設けた両切欠部をそれぞれ係合して成るものである。
【０００６】
【発明の実施の形態】
特異形状のデザインから成るフード体の場合に適用される本発明の構成にあっては、フード体と一体に成る通気板の通気口の上側部に適当間隔をおいて左右両側部に係合部を設けているから、この両係合部に取付筒体の取付枠材に設けた切欠部をそれぞれ嵌挿係合する。すると、この両切欠部の中間部に設けた上縁部は、前記係合部の中間隔部に位置するようになる。
【０００７】
フード体の通気板側に取付筒体を係合すると、互いに下側部中央に設けた通気板側の通孔と取付筒体・取付枠材側の通孔とが合致するから、ここに螺子を螺挿する。
【０００８】
この螺挿は、螺子の頭部をフード体側にして行うが、これによってダンパーの開閉板が火災発生時には閉口状態になっても、この閉口解除時には、フード体の内側に突出している螺子の頭部を指先でつまんで螺着状態を解き、フード体とともに取付筒体を建物の通口部から離脱する。しかる後に、閉口状態にある開閉板を再び９０度内側方向に押し開き、そこで新しい感熱部材を開閉板の合わせた中央端部に挟着する。この作業後に、取付筒体を再び建物通口部に嵌挿し、フード体との間を両通孔部に螺子を螺挿して一体に設置する。
【０００９】
また、強風地帯に本発明器を設置するときは、フード体の周囲に設けた小凹部に外部からねじ止めすれば、内部の通気板側の凹溝を通して外壁面に固着するから、比較的大型のフード体であっても、確実に固定しておくことができ、その施工も簡単である。この施工は、必要に応じて行えばよい作業である。
【００１０】
【実施例】
１は内外両面部に開口２を有しかつ外面開口の外周囲に鍔部３を形成した取付筒体で、この取付筒体は建物の外壁面に設けた所定の通口に設置される。
【００１１】
４は前記取付筒体１の内側開口部に設置した枠体で、この枠体の内部にはダンパーとなる開閉板５を設置する。この開閉板５は、前記取付筒体の内側口の枠体に架設した支軸６に弾機７を介装して取付くが、２枚に折り畳まれた開閉板の外周囲中央部に挟圧状態に取付く銅製の感熱部材８を設ける。この感熱部材８は、一定以上の熱風によって融解し始めると、前記開閉板の折畳み部中央に設置した感熱材は挟着状態を解除して飛ぶから、開閉板は閉口状態になる。
【００１２】
９は前記取付筒体１の鍔部３の内側部に固着した取付枠材で、この取付枠材の外周囲に形成した外縁部１０は前記取付筒体の鍔部３の内側に一体に嵌着する。
【００１３】
この取付枠材９の内周囲には内縁部９’を形成するが、この内縁部と前記取付筒体１の鍔部３の立上がり部との間に凹溝部２４が形成されるから、この凹溝部にコーキング部が接着施工されるようになり、これによって本器具と外壁面とは緊密に封止構成される。
【００１４】
１１，１１は前記取付枠材９の上側中央部に残した上縁部１０’の左右両側部に形成した切欠部で、この切欠部は後記フード体１４の内側部左右側に設けた係合部２１，２１に係合するようになる。
【００１５】
１２は前記取付枠材９の下側中央部に設けた通孔で、この通孔には螺子１３が外側から螺着するようになる。
【００１６】
１４は任意形状のデザインから成るフード体で、このフード体の外周囲には内側方に曲折縁部１５を形成する。
【００１７】
１６は前記フード体１４の外周の曲折縁部１５の内側部に当接して設置した通気板で、この通気板の下端部には段部を形成して流水部１７を形成する。
【００１８】
１８，１８’，１８’は前記通気板１６の段部の中央部と左右両側部に設けた排水口で、その大きさは任意である。
【００１９】
１９は前記通気板１６の上端中央部に設けた小凹溝で、この小凹溝と同形の小凹溝１９’，１９’は通気板の左右両側部にも設ける。
【００２０】
前記３個所の小凹溝１９，１９’，１９’に相対するフード体１４側には、小凹部２０，２０’，２０’を形成する。
【００２１】
２１，２１は前記通気板１６の通気口１６’の上側部に適当間隔部２２をおいて左右両側部に設けた係合部で、この両係合部には前記取付筒体１側の取付枠材９に設けた切欠部１１，１１が掛止め係合し、またこの中間の上縁部１０’は中間隔部２２内に位置するように成る。
【００２２】
２３は前記通気板１６の通気口１６’の下側中央部に設けた通孔で、この通孔は前記取付枠材９側の通孔１２との間に螺子１３によって連通螺着するが、螺子の頭部は外側のフード体１４側にある。
【００２３】
【発明の効果】
本発明によれば、特異な形状のデザインから成るフード体であっても、その取付筒体の取付け施工を確実かつ簡単に行うことができる。
【００２４】
外壁面に対して本器を接着施工するコーキングのための凹溝部は十分形成されているから、その取付けは強固に確実になされる。
【００２５】
火災発生などによってダンパーの開閉板を閉口していた感熱部材が溶解して飛んだときには確実に開閉板が閉口状態になるが、これを元位置の開口状態に戻すことが、外部にあるフード体側からの螺子の脱着操作によって簡単に行うことができる。
【００２６】
強風地帯においては、フード体の固定を確実にするために別の固定手段を付加的に用意しているから、常に安全な設置をすることができる。
【図面の簡単な説明】
【図１】全体の組立て部材の各斜視図
【図２】組立て時の全体の背斜視図
【図３】組立て時の全体の背面図
【図４】組立て時の全体の正面図
【図５】図４Ａ−Ａ線の断面図
【図６】図３Ｂ−Ｂ線の切断部端面図
【符号の説明】
１                    取付筒体
３                    鍔部
４                    枠体
５                    開閉板
８                    感熱部材
９                    取付枠材
１０                  外縁部
１０’                上縁部
１１，１１            切欠部
１２                  通孔
１３                  螺子
１４                  フード体
１５                  曲折縁部
１６                  通気板
１９，１９’，１９’  小凹溝
２０，２０’，２０’  小凹部
２１，２１            係合部
２２                  中間隔部
２３                  通孔
２４                  凹溝部
【図１】
2004169996.tif 000003
【図２】
2004169996.tif 000004
【図３】
2004169996.tif 000005
【図４】
2004169996.tif 000006
【図５】
2004169996.tif 000007
【図６】
2004169996.tif 000008